(57)【要約】【課題】第２面の印刷に際し、第１面印刷時の排紙先の用紙の表裏と手差し給紙トレイからの給紙における用紙の表裏との間に整合性を持たせることにより、手差し給紙トレイからの給紙による第２面の印刷が用紙の表裏を間違えることなく確実に行える画像形成装置を提供すること。【解決手段】用紙搬送経路１５が、下向き搬送経路部分１６と上向き搬送経路部分１７とに分かれ、下向き搬送経路部分１６の先に排紙トレイ２１が設けられ、上向き搬送経路部分１７の先に簡易トレイ３６が着脱可能に設けられ、簡易トレイ３６の下側に手差し給紙トレイ２１が設けられ、下向き搬送経路部分１６と上向き搬送経路部分１７との分岐部に搬送経路切替え部材４０が設けられ、定着装置１４で定着された画像面が第１面であるか、第２面であるかに応じて、案内状態設定機構が搬送経路切替え部材４０の案内状態を設定する。【選択図】図２
2016191889.tif 000002
【特許請求の範囲】
【請求項１】
定着装置と、
前記定着装置で定着された画像面が下向きになるように用紙を搬送する下向き搬送経路部分と前記定着装置で定着された画像面が上向きになるように前記用紙を搬送する上向き搬送経路部分とに中途より下流側が分かれている用紙搬送経路と、
前記下向き搬送経路部分の先に設けられた排紙トレイと、
前記上向き搬送経路部分の先に着脱可能に設けられた簡易トレイと、
前記簡易トレイの下側に設けられ前記用紙を印刷するよう前記用紙を差し込む手差し給紙トレイと、
前記用紙搬送経路の、前記下向き搬送経路部分と前記上向き搬送経路部分との分岐部に設けられ、前記用紙の排紙先を切り替える切替え部材と、
前記定着装置で定着された画像面が片面印刷の第１面であるか、両面印刷の第１面であるか、両面印刷の第２面であるかに応じて、前記切替え部材の案内状態を設定する設定機構と、を備えたことを特徴とする画像形成装置。
【請求項２】
前記設定機構は、前記簡易トレイを前記上向き搬送経路部分の先に装着したときに、前記切替え部材を前記定着装置で定着された画像面が上向きになるように前記用紙を搬送する側に切替えるように構成されていることを特徴とする請求項１に記載の画像形成装置。
【請求項３】
前記簡易トレイは、前記手差し給紙トレイの上に重ねられた状態で、当該簡易トレイ上の前記用紙の先端部が手差し給紙口に対応していることを特徴とする請求項１または２に記載の画像形成装置。
【請求項４】
前記手差し給紙トレイは、装置本体に着脱可能に備えられていることを特徴とする請求項１ないし３のいずれか１項に記載の画像形成装置。
【請求項５】
前記切替え部材は、前記下向き搬送経路部分に前記用紙を案内する第１の案内面と前記上向き搬送経路部分に前記用紙を案内する第２の案内面とを有することを特徴とする請求項１ないし４のいずれか１項に記載の画像形成装置。
【請求項６】
前記切替え部材は、揺動可能に備えられることにより、前記第１の案内面と前記第２の案内面のいずれか一方を、前記用紙を案内する位置に位置決めするように構成され、
前記設定機構は、前記簡易トレイが前記上向き搬送経路部分の先に装着されたときに揺動する揺動リンクを有し、かつ前記揺動リンクの前記揺動を前記切替え部材に伝達し前記切替え部材を揺動することにより、前記第２の案内面を前記用紙を案内する位置に位置決めするように構成されていることを特徴とした請求項１ないし５のいずれか１項に記載の画像形成装置。
【請求項７】
前記切替え部材は、水平移動可能に備えられることにより、前記第１の案内面と前記第２の案内面のいずれか一方を、前記用紙を案内する位置に位置決めするように構成され、
前記設定機構は、前記簡易トレイが前記上向き搬送経路部分の先に装着されたときに揺動する揺動リンクを有し、かつ前記揺動リンクの前記揺動時に前記揺動リンクが前記切替え部材を押動することにより、前記第２の案内面を前記用紙を案内する位置に位置決めするように構成されていることを特徴とした請求項１ないし５のいずれか１項に記載の画像形成装置。
【請求項８】
前記装置本体の簡易トレイ差込口は、前記簡易トレイを挿入方向に向かって下降傾斜する簡易トレイ用受面を有するトレイガイドを有することを特徴とする請求項１ないし７のいずれか１項に記載の画像形成装置。
【発明の詳細な説明】
【技術分野】
【０００１】
本発明は、両面ユニットを搭載せずに用紙の両面に画像を印刷する機能を備えたプリンタ、複写機、ファクシミリなどの画像形成装置に関する。
【背景技術】
【０００２】
従来より、プリンタや複写機などの画像形成装置の中には、装置の大型化やコスト上昇を招くことを回避するため、両面印刷を行うための両面ユニットを備えることなく両面印刷を行う画像形成装置が提案されている（例えば特許文献１，２参照）。
【０００３】
特許文献１に開示された画像形成装置は、自動給紙手段と、用紙挿入検知手段を有する手差し給紙手段と、画像入力手段と、印刷手段と、排紙手段と、自動給紙手段または手差し給紙手段に用紙を供給させる給紙制御手段と、給紙モード切換手段と、を備えている。排紙手段は、自動給紙モードと手差し給紙モードとで異なる位置に用紙を排出するよう排紙方向切換手段を有する。
【０００４】
給紙モード切換手段は、画像入力手段によって外部から入力された画像が異なる毎に、自動給紙モードと手差し給紙モードとを給紙制御手段に交互に選択させるようになっている。
【０００５】
特許文献１に開示された画像形成装置は、両面印刷を行う場合において、用紙の第１面を印刷する際は給紙カセットから給紙を行い、手差し給紙手段へ排紙し、用紙の第２面を印刷する際は、手差し給紙手段から給紙を行う構成である。
【０００６】
特許文献２に開示されたアナログ画像形成装置は、ＡＤＦと、スキャナと、印刷手段と、給紙手段、排紙手段と、を備え、ＡＤＦで搬送された原稿をスキャナで原稿の読み取りを行う工程と、ＡＤＦで搬送された原稿をスキャナで読取らず印刷手段に搬送する工程と、を有する。
【０００７】
そして、特許文献２に開示されたアナログ画像形成装置は、ＡＤＦで読み取った原稿を原稿排出部から手差し部に自由落下させ、再給紙を行うことで、原稿の裏面にスキャナで読取られた他の原稿を印刷することにより両面印刷にする構成である。
【発明の概要】
【発明が解決しようとする課題】
【０００８】
しかしながら、特許文献１は、手動両面印刷モード時に、片面印刷済みの用紙を手差しトレイにセットする方向がわかり難いという問題は解消できていない。
【０００９】
詳述すると、特許文献１では、段落番号［０１０６］に「自動給紙モードでプリントされた用紙はフェイスダウン・トレイへ…省略…、手差し給紙モードでプリントされた用紙はフェイスアップ・トレイへ…省略…、また、自動給紙モードでの用紙の一方の面へのプリントが終了すると、他方の面のプリントのためにその用紙の挿入を促す表示が操作パネルに行われる…省略…。したがって、操作者は、操作パネルの表示を見て、フェイスダウン・トレイへ排出された片面プリント済みの用紙を手差し口へ挿入するだけでよい。…省略…」と記載されている。
【００１０】
しかしながら、特許文献１の構成では、フェイスダウン・トレイから取り出した用紙を手差し口に挿入する時、印刷された面を上にするのか、下向きにするのかについては、操作パネルに表示するようにはなっておらず、わかり難いという問題がある。
【００１１】
また、特許文献２のＡＤＦの原稿排出部から画像形成装置の手差し部に自由落下させる構成である。このため、厚紙はそのまま自然落下して手差し部から再給紙可能となるが、厚紙以外の用紙は、定着装置を通過する際に定着熱によるバックカールを生じるので、手差し部への自由落下中に用紙が丸まり、または反転したりして、手差しトレイにうまく落下しないという問題がある。
【００１２】
本発明は、上述した問題に鑑み案出されたもので、片面印刷モードでの排紙先と、両面印刷モードでの第１面印刷時の排紙先とを異ならせ、第２面の印刷に際し、第１面印刷時の排紙先の用紙の表裏と手差し給紙トレイからの給紙における用紙の表裏との間に整合性を持たせることにより、手差し給紙トレイからの給紙による手差し給紙トレイからの給紙による第２面の印刷が用紙の表裏を間違えることなく確実に行える画像形成装置を提供することを目的としている。
【課題を解決するための手段】
【００１３】
本発明に係る画像形成装置は、上記課題を解決するため、定着装置と、前記定着装置で定着された画像面が下向きになるように用紙を搬送する下向き搬送経路部分と前記定着装置で定着された画像面が上向きになるように用紙を搬送する上向き搬送経路部分とに中途より下流側が分かれている用紙搬送経路と、前記下向き搬送経路部分の先に設けられた排紙トレイと、前記上向き搬送経路部分の先に着脱可能に設けられた簡易トレイと、前記簡易トレイの下側に設けられ前記用紙を印刷するよう前記用紙を差し込む手差し給紙トレイと、前記用紙搬送経路の、前記下向き搬送経路部分と上向き搬送経路部分との分岐部に設けられ、用紙の排紙先を切り替える切替え部材と、前記定着装置で定着された画像面が第１面であるか、第２面であるかに応じて、前記切替え部材の案内状態を設定する設定機構と、を備え、前記設定機構は、前記簡易トレイを前記上向き搬送経路部分の先に装着したときに、切替え部材を前記定着装置で定着された画像面が上向きになるように用紙を搬送する側に切替えるように構成されている。
【発明の効果】
【００１４】
本発明によれば、片面印刷モードでの排紙先と、両面印刷モードでの第１面印刷時の排紙先とを異ならせ、第２面の印刷に際し、第１面印刷時の排紙先の用紙の表裏と手差し給紙トレイからの給紙における用紙の表裏との間に整合性を持たせることにより、手差し給紙トレイからの給紙による第２面の印刷が用紙の表裏を間違えることなく確実に行える画像形成装置を提供することができる。
【図面の簡単な説明】
【００１５】
【図１】本発明の一実施の形態に係る画像形成装置の全体概略図である。
【図２】本発明の一実施の形態に係る画像形成装置の手動両面印刷の概略について説明する図です。
【図３】本発明の一実施の形態に係る画像形成装置の切替え部材部材の詳細について説明する図です。
【図４】本発明の一実施の形態に係る画像形成装置の簡易トレイを手差しトレイにセットしての両面印刷について説明する図です。
【図５】本発明の一実施の形態に係る画像形成装置の簡易トレイを手差しトレイにセットした時の切替え部材部材について説明する図です。
【図６】本発明の一実施の形態に係る画像形成装置の簡易トレイを設置部について説明する斜視図です。
【図７】本発明の一実施の形態に係る画像形成装置の簡易トレイを設置部の変形例について説明する斜視図です。
【図８】本発明の変形例に係る画像形成装置の片面印刷について説明する図です。
【図９】本発明の変形例に係る画像形成装置の両面印刷について説明する図です。
【発明を実施するための形態】
【００１６】
以下、本発明に係る画像形成装置を簡易かつ小形な複写機に適用した場合の実施の形態について図面を参照して説明する。
【００１７】
（第１の実施の形態）
まず、本実施形態に係る複写機１の全体構成について説明する。
図１に示すように、複写機１は、画像形成装置１００と、画像形成装置１００の装置本体１００ａの上面に載置された原稿読取装置２と、原稿読取装置２の一側にヒンジで連結された原稿押さえ板３と、を有する。
【００１８】
原稿読取装置２と原稿押さえ板３は、公知のものと同様の構成であり、詳細な構成を図示しない。原稿読取装置２と原稿押さえ板３について公知の構成の範囲で説明する。原稿読取装置２は、原稿押さえ板３を開いて、原稿読取装置２の上面部のガラス上に原稿面を下向きにして原稿紙を所定位置に載置し、原稿押さえ板３を閉じて原稿紙を押さえると、原稿の原稿面を読み取り準備が終了する。
【００１９】
次いで、原稿読取装置２の上面部の一側または装置本体１００ａの上面部の一側に設けられる図示しない操作パネルにおいて、スキャン開始ボタンをＯＮすると、原稿読取装置２は、原稿の原稿面を読み取り、図示しない画像記憶部に記憶するようになっている。画像記憶部に記憶された画像データは、画像形成装置１００で印刷を行うときに画像形成装置１００に出力される。
【００２０】
後述するが、両面印刷を行うときは、原稿読取装置２で原稿紙の第１面の原稿面を読み取り、画像形成装置１００で用紙の第１面に印刷を行う。引き続いて、原稿読取装置２で原稿紙の第２面の原稿面（または異なる２枚の原稿紙の原稿面）を読み取り、第１面の印刷を終えた用紙を手差し給紙して画像形成装置１００で用紙の第２面に印刷を行う。
【００２１】
画像形成装置１００は、装置本体１００ａ内に、自動給紙装置Ａと、レジストローラ対９，１０と、画像形成部Ｂと、定着装置１４と、を有している。
【００２２】
自動給紙装置Ａは、装置本体１００ａ内の最下部に備えられ、装置前方側に引き出し可能な給紙トレイ４を有する。さらに、自動給紙装置Ａは、可動底板６と、給紙コロ７と、フリクションパッド８とを有する。
【００２３】
可動底板６は、給紙トレイ４に収納積載された用紙Ｐの給紙側端部の下面を持ち上げる。給紙コロ７は、可動底板６により持ち上げられた複数枚の用紙Ｐのうち、一番上の一枚の用紙に転圧して該用紙を上方へ給送する。フリクションパッド８は、給紙コロ７の下面側に所要圧で接触し、一枚目の用紙の通過のみを許容する。なお、用紙Ｐは、普通紙以外に、厚紙、はがき、封筒、薄紙、塗工紙（コート紙やアート紙等）、トレーシングペーパ、ＯＨＰシート等が含まれる。
【００２４】
自動給紙装置Ａは、片面印刷モード時または両面印刷モードにおける第１面印刷時の給紙開始信号に基づいて給紙トレイ４に収納積載された用紙Ｐのうち、一番上の一枚の用紙Ｐを給紙するようになっている。レジストローラ対９，１０は、自動給紙装置Ａから給紙される用紙搬送をタイミングを合わせて引き継いで上方の画像形成部Ｂの画像転写部に搬送する。
【００２５】
画像形成部Ｂは、１つの作像部１１と、露光装置１２と、一次転写方式の転写装置１３等を含んでいる。なお、画像形成部Ｂは、作像部１１を複数備えてカラー印刷ができる構成のものを排除するものではない。
【００２６】
作像部１１は、潜像担持体としてのドラム状の感光体１１ａと、感光体１１ａの表面を帯電させる帯電装置１１ｂと、感光体１１ａの表面にトナーを供給する現像装置１１ｃと、感光体１１ａの表面をクリーニングするクリーニング装置等を含む。
【００２７】
露光装置１２は、１つのブラックボックスで示しているが、レーザー光源、ポリゴンミラー、ｆ−θレンズ、複数の反射ミラー等を有する。露光装置１２は、図示しない制御部を介し、上述した原稿読取装置２で読取った画像データに基づいて感光体１１ａの表面へレーザー光を照射し感光体１１ａの表面に静電潜像を形成するようになっている。
【００２８】
転写装置１３は、感光体１１ａに対し転写ニップを形成する転写ローラ１３ａと、クリーニングバックアップローラと、を備える。転写ローラ１３ａには、電源が接続されており、所定の直流電圧（ＤＣ）又は所定の交流電圧（ＡＣ）が印加されるようになっている。
【００２９】
画像形成部Ｂの上側には、トナーボトル１１ｄが備えられている。トナーボトル１１ｄと現像装置１１ｃとの間に設けた図示しない補給路を介して、トナーボトル１１ｄから現像装置１１ｃにトナーが補給される。
【００３０】
定着装置１４は、画像形成部Ｂの上側に備えられる加熱部材としての加熱ローラ１４ａと加圧部材としての加圧ローラ１４ｂとのローラ対である。定着装置１４は、感光体１１ａと転写ローラ１３ａとにより上方に搬送される未定着トナー画像を担持させた用紙Ｐを加圧・加熱してトナー画像を用紙Ｐに定着させる。なお、定着装置１４は、加熱部材と加圧部材が上記ローラ対に限定されるものではない。
【００３１】
以下の説明では、本実施の形態の特徴部分の構成を説明する。
画像形成装置Ｂは、定着装置１４より用紙を上方に一定処理搬送された時点で、装置正面より視て、中途より下流側が左水平方向と右水平方向とに二股に分かれる用紙搬送経路１５を備えている。左水平方向に分かれる搬送経路部分は、定着装置１４で定着された画像面が下向きになるように用紙を搬送する下向き搬送経路部分１６である。右水平方向に分かれる搬送経路部分は、定着装置１４で定着された画像面が上向きになるように用紙を搬送する上向き搬送経路部分１７である。
【００３２】
下向き搬送経路部分１６は、定着装置１４を通り上方に搬送された用紙が、定着装置１４における用紙に対するトナー画像定着側に水平方向（図１において左方向）に方向変換されることにより定着装置１４で定着された画像面が下向きになるように搬送する経路部分である。
【００３３】
上向き搬送経路部分１７は、定着装置１４を通り上方に搬送された用紙が、定着装置１４におけるトナー画像に対応する用紙側に水平方向（図１において右方向）に方向変換されることにより定着装置１４で定着された画像面が上向きになるように搬送する経路部分である。
【００３４】
下向き搬送経路部分１６の搬送方向下流端には排出コロ対１８，１９が設けられ、排出コロ対１８，１９の先が、装置本体１００ａに形成された装置前側に露出した空間である排紙収容空間２０に臨んでいる。排紙収容空間２０の底面部は排紙トレイ２１として設けられている。柱体２８は、装置前側左部に設けられ、原稿読取装置２を保持する役割を有している。
【００３５】
上向き搬送経路部分１７の搬送方向下流端にも排出コロ対３４，３５が設けられ、排出コロ対３４，３５の先が、装置本体１００ａの右側外部に臨んでおり、装置本体１００ａの右側面部に簡易トレイ３６が着脱可能に設けられている。簡易トレイ３６は、上面両側縁および差込端とは反対側の端縁に図示しない用紙脱落防止リブが設けられる。
【００３６】
図２，図３，図６に示すように、装置本体１００ａの右側面部に設けられた簡易トレイ差込用開口（符号なし）には、トレイガイド３７と、トレイガイド３７の上側のトレイ押え３８と、トレイガイド３７とトレイ押え３８との間の正面位置のストッパ３９と、を備えている。
【００３７】
図２，図３，図６に示すように簡易トレイ３６は、トレイガイド３７とトレイ押え３８との間に差し込み、ストッパ３９に当接するまで押し込むことにより装着され、引くことにより取り外すことができる。
【００３８】
トレイガイド３７は、簡易トレイ３６を挿入方向に向かって下降傾斜する簡易トレイ用受面を有しているので、簡易トレイ３６の挿入が容易であり、かつ安定する。
【００３９】
なお、部分的な変形例として、図７に示すように、トレイガイド３７Ａとトレイ押え３８Ａの両方を板部材で構成し、かつトレイガイド３７Ａとトレイ押え３８Ａの簡易トレイ挟持面の簡易トレイ挿入端部に傾斜面３７ｂ，３８ｂを設けることが好ましい。これにより、簡易トレイ３６をトレイガイド３７とトレイ押え３８の間に挿入する際に傾斜面がガイドとなり、簡易トレイ３６のセットが容易に行える。
【００４０】
画像形成装置Ｂは、装置本体１００ａの右側面部の下端に手差し給紙トレイ２２を備えている。後述するが、手差し給紙トレイ２２は、装置本体１００ａに関し、簡易トレイ３６と同じ側でかつ簡易トレイ３６の下側に設けられていることが特徴となっている。手差し給紙トレイ２２も、簡易トレイ３６と同様に、装置本体１００ａの右側面部に着脱自在に設けられている。なお、手差し給紙トレイ２２は、装置本体１００ａに着脱自在であることに加えて、装置本体１００ａの右側面部に重なるように立ち上げられる構成であることが好ましい。
【００４１】
装置本体１００ａの手差し給紙トレイ用差込口（符号なし）に対応して、手差し用紙の差し込みを検知する図示しない検知センサと、フリクションパッド２４と、フリクションパッド２４の上側に上下に移動可能な呼出コロ２５と、ガイドロール２６と、を備えている。
【００４２】
これにより、手差し給紙トレイ２２上に用紙を置いて手差し給紙トレイ用差込口に移動すると、用紙の差し込みを検知センサが検知し、呼出コロ２５が回転するとともに下降し、フリクションパッド２４と協働し、矢印２７で示すように、用紙を一枚だけ分離してガイドロール２６を介しレジストローラ対９，１０へ向けて給紙するようになっている。
【００４３】
用紙搬送経路１５の、下向き搬送経路部分１６と上向き搬送経路部分１７との分岐部には、用紙の排紙先を切り替える搬送経路切替え部材４０が設けられている。搬送経路切替え部材４０は本発明の切替え部材を構成している。
【００４４】
搬送経路切替え部材４０は、装置前側から見て、頂角が下向きの三角形であり、一方の傾斜面が下向き搬送経路部分１６に用紙を案内する第１の案内面４１となっているとともに、他方の傾斜面が上向き搬送経路部分１７に用紙を案内する第２の案内面４２となっている。
【００４５】
搬送経路切替え部材４０は、装置本体１００ａに固定された固定支点４３に支持され、固定支点４３を回転中心として回動可能である。これにより、搬送経路切替え部材４０は、揺動可能に備えられることにより、第１の案内面４１と第２の案内面４２のいずれか一方を、用紙を案内する位置に位置決めするように構成されている。
【００４６】
搬送経路切替え部材４０は、定着装置１４で定着された画像面が第１面であるか、第２面であるかに応じて、搬送経路切替え部材４０の案内状態を設定する案内状態設定機構５０を備えている。案内状態設定機構５０は、本発明の設定機構を構成している。
【００４７】
図３、図６に示すように、案内状態設定機構５０は、揺動リンク５１と、連接リンク５３と、引張ばね５５と、作動棹５６と、を備えている。揺動リンク５１は、下端寄りの中途を支軸５９で支持されている。連接リンク５３は、揺動リンク５１にピン軸５２で一端を連結されている。引張ばね５５は、連接リンク５３の他端と装置本体１００ａに設けられたばね固定ピン５４とを連鎖するように設けられている。作動棹５６は、装置前側から見て逆三角形の搬送経路切替え部材４０の上面部より上方に延びている。
【００４８】
作動棹５６と連接リンク５３とは、作動棹５６の上端部に形成された上下方向に長い長孔５７と、連接リンク５３の引張ばね５５に寄った側の中途部に設けられた係止突起５８とが係合している。
【００４９】
案内状態設定機構５０は、簡易トレイ３６が簡易トレイ差込口に差し込まれたときに、揺動リンク５１の下端部が搬送経路切替え部材４０側に移動される。これにより、揺動リンク５１の上端部が引張ばね５５の付勢に抗して簡易トレイ３６側に傾倒し、連接リンク５３を介して作動棹５６も同じ側に傾倒するようになっている。
【００５０】
上記構成により、案内状態設定機構５０は、揺動リンク５１の揺動を搬送経路切替え部材４０に伝達し搬送経路切替え部材４０を揺動することにより、第２の案内面４２を用紙を案内する位置に位置決めするように構成されている。
【００５１】
このため、案内状態設定機構５０は、図１に示すように、簡易トレイ３６が使用されないときには、図５に示すように、搬送経路切替え部材４０の第１の案内面４１が用紙を下向き搬送経路部分１６に案内する状態に設定する。
【００５２】
これにより、図２，図３に示すように、また簡易トレイ３６が簡易トレイ差込口に差し込まれたときには、第２の案内面４２が用紙を上向き搬送経路部分１７に案内する状態に設定するように構成されている。
【００５３】
続いて、複写機１の作用について説明する。
【００５４】
まず、片面印刷モードで印刷を行うときは、図１、図５に示すように、簡易トレイ３６は使用しない。すなわち、簡易トレイ３６は、簡易トレイ差込口に差し込まれない。このときは、案内状態設定機構５０は、引張ばね５５の付勢により、第１の案内面４１が用紙を下向き搬送経路部分１６に案内する状態に設定することになる。
【００５５】
原稿読取装置２で第１面に印刷する原稿画像をスキャンしてから、操作パネルで、片面印刷モードの設定を行いかつ印刷枚数等の印刷内容のアイテムを入力し、印刷開始の入力を行う。これにより、自動給紙装置Ａから印刷枚数分の給紙が順次に行われ、画像形成部Ｂで用紙の第１面に次々に印刷される。次いで、定着装置１４で次々に画像定着された用紙は、下向き搬送経路部分１６に案内され排紙コロ対１８，１９を経て排紙トレイ２１に排紙される。
【００５６】
次に、自動給紙装置Ａに収容された用紙とは異なる種類の用紙で片面印刷モードで手差し印刷したいときは、当該異なる種類の用紙を第１面を下向きにして手差し給紙トレイ２２の上に載置する。そして、原稿読取装置２で第２面に印刷する原稿画像をスキャンしてから、印刷開始の入力を行ってから、手差し口に差し込むと、用紙差込みを検知センサが検知し、フリクションパッド２４と呼出コロ２５により内部に取り込まれる。
【００５７】
これにより、画像形成部Ｂで用紙の第１面に印刷され、定着装置１４で画像定着される。画像定着された用紙は、下向き搬送経路部分１６に案内され排紙コロ対１８，１９を経て排紙トレイ２１に排紙される。
【００５８】
次に、両面印刷モードで印刷を行うときは、図２、図３に示すように、簡易トレイ３６が簡易トレイ差込口に差し込む。これにより、案内状態設定機構５０は、第２の案内面４２が用紙を上向き搬送経路部分１７に案内する状態に設定することになる。
【００５９】
原稿読取装置２で第１面に印刷する原稿画像をスキャンしてから、操作パネルで、両面印刷モードの設定を行いかつ印刷枚数等の印刷内容のアイテムを入力し、印刷開始の入力を行う。
【００６０】
これにより、自動給紙装置Ａから印刷枚数分の給紙が順次に行われ、画像形成部Ｂで次々に印刷され、定着装置１４で次々に画像定着された用紙は、上向き搬送経路部分１７に案内され排紙コロ対３４，３５を経て簡易トレイ３６に排紙される。簡易トレイ３６上には、第１面の画像面が上向きになって複数枚の用紙が積層される。
【００６１】
次いで、図４に示すように、第１面の画像面を印刷した複数枚の用紙を載せたままの簡易トレイ３６を、簡易トレイ差込口から取り外し、向きを変えることなくそのまま、下側の手差し給紙トレイ２２の上に載置する。簡易トレイ３６を、簡易トレイ差込口から取り外したことにより、案内状態設定機構５０は、引張ばね５５の付勢により、第１の案内面４１が用紙を下向き搬送経路部分１６に案内する状態に設定したことになる。
【００６２】
原稿読取装置２で第２面に印刷する原稿画像をスキャンしてから、印刷開始の入力を行う。簡易トレイ３６上の第１面の画像面が上向きの複数枚の用紙を、１枚ずつ、手差し口に差し込むと、用紙差込みを検知センサが検知し、フリクションパッド２４と呼出コロ２５により次々に取り込まれる。
【００６３】
これにより、画像形成部Ｂで次々に印刷され、定着装置１４で次々に画像定着された用紙は、下向き搬送経路部分１６に案内され排紙コロ対１８，１９を経て排紙トレイ２１に排紙される。排紙トレイ２１上には、第２面の画像面が下向きになって複数枚の用紙が積層される。
【００６４】
上記説明してきたように、画像形成装置１００は、両面反転搬送機能を有していないが、片面印刷モードでの排紙先と、両面印刷モードでの第１面印刷時の排紙先とを異ならせている。そして、第２面の印刷に際し、第１面印刷時の排紙先の用紙の表裏と手差し給紙トレイ２２からの給紙における用紙の表裏との間に整合性を持たせることにより、手差し給紙トレイ２２からの給紙による第２面の印刷が用紙の表裏を間違えることなく確実に行える。
【００６５】
（第２の実施の形態）
図８および図９は、第１の実施の形態に係る搬送経路切替え部材４０および案内状態設定機構５０の変形例に係る搬送経路切替え部材４０Ａおよび案内状態設定機構５０Ａを示す。
【００６６】
搬送経路切替え部材４０Ａは、第１の実施の形態と同様に、下向き搬送経路部分１６と上向き搬送経路部分１７との分岐部に設けられ、用紙の排紙先を切り替える。
【００６７】
搬送経路切替え部材４０は、装置前側から見て、下側中央部に境界先端部を有し、境界先端部より左側の湾曲面が下向き搬送経路部分１６に用紙を案内する第１の案内面４１Ａとなっている。また、搬送経路切替え部材４０は、境界先端部より右側の湾曲面が上向き搬送経路部分１７に用紙を案内する第２の案内面４２Ａとなっていて、かつ、横長なスリット４５を有し該横長なスリット４５が装置本体１００ａより凸設された横長の固定ガイド４４に嵌合され、水平方向に所要寸法移動可能である。
【００６８】
案内状態設定機構５０Ａは、定着装置１４で定着された画像面が第１面であるか、第２面であるかに応じて、搬送経路切替え部材４０Ａの案内状態を設定する。
【００６９】
図８、図９に示すように、案内状態設定機構５０Ａは、下端寄りの中途を支軸５９Ａで支持された揺動リンク５１Ａと、搬送経路切替え部材４０Ａの右端と、搬送経路切替え部材４０Ａの右側で装置本体１００ａに設けられたばね固定ピン５４Ａとを連鎖するように設けられた引張ばね５５Ａと、を備えている。これにより、揺動リンク５１Ａの揺動時に揺動リンク５１Ａが搬送経路切替え部材４０Ａを押動することにより、第１の案内面４１Ａによる案内状態から、第２の案内面４２Ａによる案内状態に切り替わる。
【００７０】
上記構成により、図８に示すように、案内状態設定機構５０Ａは、簡易トレイ３６が使用されないとき、すなわち、簡易トレイ３６が簡易トレイ差込口に差し込まれないときには、引張ばね５５Ａの付勢により、搬送経路切替え部材４０Ａが排紙コロ対３４，３５側に移動され、揺動リンク５１Ａが搬送経路切替え部材４０Ａに押されて排紙コロ対３４，３５側に傾倒する。これにより、第１の案内面４１Ａが用紙を下向き搬送経路部分１６に案内する状態に設定するように構成されている。
【００７１】
また、図９に示すように、案内状態設定機構５０Ａは、簡易トレイ３６が簡易トレイ差込口に差し込まれたときに、揺動リンク５１Ａの上端部が搬送経路切替え部材４０側に移動され、揺動リンク５１Ａの上端部が引張ばね５５Ａの付勢に抗して搬送経路切替え部材４０側に傾倒し、第２の案内面４２Ａが用紙を上向き搬送経路部分１７に案内する状態に設定するように構成されている。
【００７２】
なお、第２の実施の形態に係る引張ばね５５Ａは、第１の実施の形態に係る引張ばね５５よりも弱くすることができ、また、搬送経路切替え部材４０Ａを水平移動する構成であるので、簡易トレイ３６をセットする作業性が良好となる。
【００７３】
第２の実施の形態に係る複写機は、簡易トレイ３６を使用しない片面印刷モードのときの印刷、簡易トレイ３６を使用した両面印刷モードのときの第１面の印刷、簡易トレイ３６を使用しない両面印刷モードのときの第２面の印刷について、第１の実施の形態に係る複写機と同様に行うことができる。
【００７４】
上記説明してきたように、第２の実施の形態に係る複写機（画像形成装置）は、簡易トレイ３６の差し込みにより、案内状態設定機構５０，５０Ａを作動させて、搬送経路切替え部材４０，４０Ａを第１の案内面４１Ａから第２の案内面４２Ａに切り替える。これにより、下向き搬送経路部分１６を用紙が通るように案内する状態から、上向き搬送経路部分１７を用紙が通るように案内する状態に切り替えている。また、簡易トレイ３６を外したときには、引張ばね５５，５５Ａの付勢により、案内状態設定機構５０，５０Ａを逆作動させて、案内面の切り替えを行う。これにより、上向き搬送経路部分１７を用紙が通るように案内する状態から、下向き搬送経路部分１６を用紙が通るように案内する状態に切り替えている。
【００７５】
そして、第２面の印刷は、簡易トレイ３６の向きを変えないで、手差し給紙トレイ２２の上に載置して、手差し送りするので、用紙の表と裏のどちらを上向きにすればよいのか、考える必要がなく、確実に両面印刷が行える。
【００７６】
なお、簡易トレイ３６の脱着に関わらず、搬送経路切替え部材４０，４０Ａを移動できる他の構成の案内状態設定機構を設けてもよい。例えば、外部操作できる摘みを所定距離を往復移動できるようにすることで、第１の案内面４１Ａから第２の案内面４２Ａに切り替えを行うようにしてもよい。この場合には、摘みを移動するだけで、簡易トレイ３６を差し込んだままで、片面印刷モードの印刷ができるとともに、両面印刷モードの第１面印刷および両面印刷モードの第２面印刷ができる。
【００７７】
上述した第１および第２の実施の形態にかかる画像形成装置によれば、画像面下向きで排出する排紙トレイ２１の他に、簡易トレイ３６を手差し給紙トレイ２２の上方に装着可能で、搬送経路を排紙トレイ２１と簡易トレイ３６に切り替える搬送経路切替え部材４０を有する。
【００７８】
そして、簡易トレイ３６を装着することにより搬送経路切替え部材４０を回動することにより、画像面上向きで簡易トレイ３６に排出し、その排紙をそのまま下方の手差し給紙トレイ２２に載せることで用紙のセット方向がわかり易くなるので、両面ユニットを装着していない画像形成装置で手動両面印刷が確実にできる。
【００７９】
また第１および第２の実施の形態にかかる画像形成装置によれば、手差し給紙トレイ２２を画像形成装置Ｂから取外し可能とすることで、画像形成装置Ｂの横幅を小さくすることができ、装置の小型化が可能である。
【００８０】
また第１および第２の実施の形態にかかる画像形成装置によれば、１つの搬送経路切替え部材４０，４０Ａに、排紙トレイ２１へ用紙を案内する第１の案内面と、簡易トレイ３６へ案内する第２の案内面と、を持つことで、部品点数が削減できコストダウンとなる。
【００８１】
また第１および第２の実施の形態にかかる画像形成装置によれば、簡易トレイ３６を装着することで用紙経路が切替わり、両面印刷を確実に実施できる。
【００８２】
さらに、第１および第２の実施の形態にかかる画像形成装置によれば、搬送経路切替え部材を水平移動可能に備えられることにより、搬送経路切替え部材についても、簡素な構成にすることができ、部品点数が少なくすることができて、
リンク構成が簡略でき、コストダウンとなる。
【００８３】
さらに、第１および第２の実施の形態にかかる画像形成装置によれば、装置本体１００ａの簡易トレイ用差込口に簡易トレイ３６を差し込む際に、トレイガイド３７が簡易トレイ３６の差し込みガイドとなり、簡易トレイ３６を容易にセットが可能となる。
【００８４】
本発明によれば、片面印刷モードでの排紙先と、両面印刷モードでの第１面印刷時の排紙先とを異ならせ、第２面の印刷に際し、第１面印刷時の排紙先の用紙の表裏と手差し給紙トレイからの給紙における用紙の表裏との間に整合性を持たせることにより、手差し給紙トレイからの給紙による第２面の印刷が用紙の表裏を間違えることなく確実に行えるという効果を有し、両面ユニットを搭載せずに用紙の両面に画像を印刷する機能を備えたプリンタ、複写機、ファクシミリなどの画像形成装置全般に有用である。
【符号の説明】
【００８５】
１  複写機（画像形成装置）
１ａ  装置本体
１４  定着装置
１５  用紙搬送経路
１６  下向き搬送経路部分
１７  上向き搬送経路部分
２１  排紙トレイ
２２  手差し給紙トレイ
２３  手差し給紙口
３６  簡易トレイ
３７  トレイガイド
４０  搬送経路切替え部材(切替え部材)
４１  第１の案内面
４２  第２の案内面
５０  案内状態設定機構（設定機構）
５１  揺動リンク
【先行技術文献】
【特許文献】
【００８６】
【特許文献１】特開平０９−２１８５４７号公報
【特許文献２】特開２００３−１５４７３号公報
【図１】
2016191889.tif 000003
【図２】
2016191889.tif 000004
【図３】
2016191889.tif 000005
【図４】
2016191889.tif 000006
【図５】
2016191889.tif 000007
【図６】
2016191889.tif 000008
【図７】
2016191889.tif 000009
【図８】
2016191889.tif 000010
【図９】
2016191889.tif 000011